(57)【要約】【課題】パール調の光沢・模様を明確且つ明瞭に現出することができるパール模様装飾体を提供する。【解決手段】パール模様装飾体１は、透光性を有する装飾体２裏面に、透光性を有するアンカーコート層３を形成し、アンカーコート層３の上に、略半球形状断面を有するドット状の凸レンズ４…を連続して所定のパターンにスクリーン印刷し、凸レンズ４…の上に、パール調の光沢・模様を現出するパール層５を形成し、パール層５の上に、パール層５が表裏から透けて見えるのを防止する白押え層６を形成している。【選択図】  図３
2006289849.tif 000002
【特許請求の範囲】
【請求項１】
透光性を有する装飾体の裏面にアンカーコート層を形成し、
上記アンカーコート層の上に、略半球形状断面を有するドット状の凸レンズを所定のパターンに印刷し、
上記凸レンズの上に、パール調の光沢・模様を現出するパール層を形成したことを特徴とする
パール模様装飾体。
【請求項２】
上記パール層の上に、該パール層が透けて見えるのを防止するような色からなる不透光層を形成した
請求項１に記載のパール模様装飾体。
【請求項３】
上記不透光層に、上記装飾体の表面側から入った光を反射するような鏡面性を持たせた
請求項２に記載のパール模様装飾体。
【請求項４】
上記凸レンズを、上記装飾体裏面に設定した密領域と粗領域との間で段階的又は徐々に変化するように配列した
請求項１に記載のパール模様装飾体。
【請求項５】
上記凸レンズを、上記装飾体裏面に設定した密領域から粗領域に向けて段階的又は徐々に低くなるように配列した
請求項１又は４に記載のパール模様装飾体。
【請求項６】
上記凸レンズを、上記装飾体裏面に設定した密領域から粗領域に向けて段階的又は徐々に間隔が広くなるように配列した
請求項１又は４に記載のパール模様装飾体。
【発明の詳細な説明】
【技術分野】
【０００１】
この発明は、例えば自動販売機、冷蔵庫、クーラー、機器、装置、あるいは、家具、室内等の装飾に用いられるパール模様装飾体に関する。
【背景技術】
【０００２】
従来、上述のパール模様装飾体としては、例えば凸状しぼ（レンズ）が形成された一対のプラスチック材料からなる層を結合し、シートの裏面に形成した金属被覆により表面から入った光を反射させ、凸状しぼで屈折させる特許文献１の光学的効果を生成する合成プラスチックシート材料がある。また、合成樹脂の基材と、下地印刷層と、偏光パール層と、透明クリア層とを積層して、偏光パール層に含まれる赤色金属光沢と、青色金属光沢と、緑色金属光沢とからなるパール粒子により光輝感や偏光効果、深みのある色合いを再現する特許文献２の金属調外観を有する装飾フィルムがある。
【０００３】
しかし、特許文献１の合成プラスチックシート材料は、同一の材質からなる一対のプラスチック材料を直接結合しているが、異なる材質のプラスチック材料を直接結合する場合、各材料の結合面を隙間無く密着させることが難しく、耐候性を必要とする箇所に使用したとき、各材料の結合面に隙間が生じたり、各材料が短期間で剥離しやすい。且つ、材質の異なるプラスチック材料と金属被覆とを接合するも、膨張率が異なるため、相互の接合面が剥離しやすい。
【０００４】
また、特許文献２の装飾フィルムは、フィルム状の基材上に、下地印刷層と、偏光パール層と、透明クリア層とを直接印刷しているが、各層の材質が異なる場合、各層の印刷面を隙間無く密着させることが難しく、耐候性を必要とする箇所に使用したとき、基材と、下地印刷層と、偏光パール層と、透明クリア層との印刷面に隙間が生じたり、一つの層又は複数の各層が短期間で剥離しやすい。且つ、偏光パール層による金属外観を平面的に現出するだけであり、見る方向・角度によって、金属外観が変化するような立体的な現出効果が得られない。
【特許文献１】特公昭４２−２５７９７号公報
【特許文献２】特開２００２−２９２００号公報
【発明の開示】
【発明が解決しようとする課題】
【０００５】
この発明は上記問題に鑑み、パール調の光沢・模様を明確且つ明瞭に現出することができるパール模様装飾体の提供を目的とする。
【課題を解決するための手段】
【０００６】
請求項１に記載した発明のパール模様装飾体は、透光性を有する装飾体の裏面にアンカーコート層を形成し、上記アンカーコート層の上に、略半球形状断面を有するドット状の凸レンズを所定のパターンに印刷し、上記凸レンズの上に、パール調の光沢・模様を現出するパール層を形成したことを特徴とする。
【０００７】
この発明によると、装飾体の表面側から入った光を、装飾体裏面のアンカーコート層上に形成した各凸レンズにより入射角度と異なる角度に屈折させ、アンカーコート層上に形成した各凸レンズ（及び各凸レンズ間のアンカーコート層）の上に形成したパール層により様々な色に変化させる。且つ、様々な色に変化された光を、各凸レンズにより入射方向と異なる方向及び同一方向に屈折させて装飾体の表面側に向けて放射し、様々な色に変化するパール調の光沢・模様を表面側に現出する。
【０００８】
上記装飾体は、パール調の光沢・模様が現出されるような厚みに、例えば合成樹脂、ガラス等の透光性を有する材質で構成することができるが、所望するパール調の光沢・模様を現出することが可能であれば、半透明又は所望する色に着色された材質で構成してもよい。また、合成樹脂としては、例えばアクリル、ポリエチレン、ポリプロピレン、ポリエステル、ナイロン、塩化ビニル等の単一又は複合した材質を用いることができる。
【０００９】
且つ、耐候性及び強度を必要とする箇所に用いる場合、アクリル製のプレートで構成すれば、例えば自動販売機、冷蔵庫、クーラー、家具等の内外装用パネルとして使用することができる。また、耐候性及び強度が必要としない箇所に用いる場合、柔軟性を有する合成樹脂製のシートで構成してもよい。
【００１０】
上記アンカーコート層は、例えばウレタン系樹脂、塩酢ビ系樹脂等の装飾体と凸レンズとを密着した状態に固定するのに必要な接着力を有する合成樹脂で構成することができる。
【００１１】
上記凸レンズは、例えば透光性を有する紫外線硬化型樹脂からなるインキ（ＵＶインキ）を用いて、スクリーン印刷、シルク印刷、グラビア印刷等の印刷方法で小さなドット状に印刷することができる。また、インキとしては、印刷時において、凸状のレンズ形態を保つのに必要な粘度及び表面張力を有するインキを用いるのが好ましい。また、凸レンズが印刷又は形成されたシート、フィルム等を装飾体裏面に対して一体的に貼着してもよい。
【００１２】
また、例えば略半球形状断面、略楕円形状断面等の所望する屈折率を有する凸状レンズ形態に、装飾体と略同一又は略同等の透光性を有する合成樹脂、インクで構成することができるが、パール調の光沢・模様を現出することが可能であれば半透明及び着色された合成樹脂、インクで構成することもできる。
【００１３】
上記パール層は、装飾体と、アンカーコート層と、凸レンズとを透過した光を反射するか、光の反射角度によって様々な色に変化するような微細なパール粒子が含まれる所望する色のインキで構成することができる。
【００１４】
請求項２に記載した発明のパール模様装飾体は、上記請求項１に記載の構成と併せて、上記パール層の上に、該パール層が透けて見えるのを防止するような色からなる不透光層を形成したことを特徴とする。
【００１５】
この発明によると、装飾体の表面側から入った光と、裏面側からの光とを不透光層により遮光するので、パール層が表裏から透けて見えることがなく、パール調の光沢・模様が明確に現出される。なお、不透光層は、例えばパール層が表裏から透けて見えるのを防止するような遮光性を有する白色のインキからなる白押え層等で構成することができる。また、パール層が透けて見えるのを防止することができるならば、白色以外の所望する色のインキを用いて不透光層を形成してもよい。
【００１６】
請求項３に記載した発明のパール模様装飾体は、上記請求項２に記載の構成と併せて、上記不透光層に、上記装飾体の表面側から入った光を反射するような鏡面性を持たせたことを特徴とする。
【００１７】
この発明によると、装飾体、アンカーコート層、凸レンズ、パール層を透過した光を、鏡面性を有する不透光層により表面側に向けて反射させ、パール調の光沢・模様を明るく輝かせる。なお、不透光層は、例えば装飾体の表面側から入った光を反射するような鏡面性を有するインキからなる白押え層等で構成することができる。
【００１８】
請求項４に記載した発明のパール模様装飾体は、上記請求項１に記載の構成と併せて、上記凸レンズを、上記装飾体裏面に設定した密領域から粗領域に向けて段階的又は徐々に粗状態となるように配列したことを特徴とする。
【００１９】
この発明によると、各凸レンズを、密領域から粗領域に向けて段階的又は徐々に粗状態（離間又は分散）に配列するか、粗領域から密領域に向けて段階的又は徐々に密状態（近接又は密集）に配列する等して、各凸レンズが屈折及び拡大するパール調の光沢・模様を、密領域と粗領域との間で段階的又は徐々に変化させるようなグラデーションを現出する。
【００２０】
請求項５に記載した発明のパール模様装飾体は、上記請求項１又は４に記載の構成と併せて、上記凸レンズを、上記装飾体裏面に設定した密領域から粗領域に向けて段階的又は徐々に間隔が広くなるように配列したことを特徴とする。
【００２１】
この発明によると、各凸レンズの間隔が密領域から粗領域に向けて段階的又は徐々に変化するので、パール調の光沢・模様が密領域から粗領域に向けて段階的又は徐々に粗状態となるようなグラデーションを現出する。
請求項６に記載した発明のパール模様装飾体は、上記請求項１又は４に記載の構成と併せて、上記凸レンズを、上記装飾体裏面に設定した密領域から粗領域に向けて段階的又は徐々に低くなるように配列したことを特徴とする。
【００２２】
この発明によると、各凸レンズの屈折率が密領域から粗領域に向けて段階的又は徐々に変化するので、パール調の光沢・模様が密領域から粗領域に向けて段階的又は徐々に粗状態となるようなグラデーションを現出する。
【発明の効果】
【００２３】
この発明によれば、パール模様装飾体を構成する装飾体表面から入った光を、装飾体裏面に形成した各凸レンズにより屈折させてパール層に照射し、パール層により様々な色に変化させた光を各凸レンズにより再び屈折させて装飾体表面に向けて放射するので、パール模様装飾体を表面側から見たとき、パール調の光沢・模様が様々な色に変化するように現出させることができる。
【００２４】
また、凸レンズを、透光性を有する装飾体裏面に形成したアンカーコート層上に印刷するので、凸レンズを装飾体に対して直接形成するよりも、凸レンズが剥がれにくく、装飾体と凸レンズとを密着した状態に強固に固定することができ、耐候性及び透過性が向上する。
【００２５】
また、不透光層によりパール層が表裏から透けて見えるのを防止するので、パール調の光沢・模様が明確且つ明瞭に現出される。且つ、装飾体表面から入った光が不透光層により反射されるため、パール調の光沢・模様を明るく輝かせることができる。
【発明を実施するための最良の形態】
【００２６】
この発明は、パール調の光沢・模様を明確且つ明瞭に現出することができるという目的を、透光性を有する装飾体裏面に、アンカーコート層と、凸レンズと、パール層と、不透光層とを順に形成することで達成した。
【実施例】
【００２７】
この発明の一実施例を以下図面に基づいて詳述する。  
図面は、自動販売機を構成するドアパネル及び取出口パネルに用いられるようなパール模様装飾体を示し、図３、図４に於いて、このパール模様装飾体１は、透光性を有する板状装飾体２の裏面に、透光性を有するアンカーコート層３を略均一な厚みに形成し、アンカーコート層３の上に、略半球形状断面を有するドット状の凸レンズ４…を連続して所定のパターンにスクリーン印刷し、全凸レンズ４…の上に、パール調の光沢・模様を現出するパール層５を略均一に形成し、パール層５の上に、パール層５が表裏から透けて見えるのを防止する白押え層６を略均一に形成している。
【００２８】
上記装飾体２は、透光性を有する透明なアクリル樹脂を用いて、図１、図２に示すような自動販売機Ａを構成するドアパネルＡａ及び取出口パネルＡｂと対応する大きさ及び形状に形成され、後述するパール層５が有するパール調の光沢・模様が現出される厚みｈ１に形成している。また、装飾体２の厚みｈ１は、約２．００１５ｍｍの厚みｈ１に形成しているが、パール模様装飾体１を用いる箇所、目的、用途等に応じて、約２．００１５ｍｍ以下又は以上の厚みｈ１に変更してもよい。
【００２９】
前記アンカーコート層３は、装飾体２と凸レンズ４とを密着した状態に接着固定するのに必要な接着力を有する紫外線硬化型樹脂インキを用いて、凸レンズ４を印刷する装飾体２の裏面全体（又は裏面の一部）が略均一に覆われるように形成している。つまり、アンカーコート層３の上に凸レンズ４を形成するため、凸レンズ４を装飾体２に対して直接形成するよりも、凸レンズ４が剥がれにくく、装飾体２と凸レンズ４とが密着した状態に一体的に固定される。また、アンカーコート層３の厚みｈ２は、約０．００２ｍｍとなる厚みｈ２に平均して形成しているが、装飾体２と凸レンズ４とが密着した状態に一体的に固定され、装飾体２裏面から凸レンズ４が剥離するのを防止するのに必要な強さが得られるならば、約０．００２ｍｍ以下又は以上の厚みｈ２に変更してもよい。
【００３０】
前記凸レンズ４は、透光性を有する紫外線硬化型樹脂インキ（ＵＶインキ）を用いてスクリーン印刷され、装飾体２裏面に形成したアンカーコート層３の全体（又は一部）に対して所定等間隔に隔てて多数配列するとともに、側面から見て略半球形状断面に形成し、裏面から見て略丸形状（又は略円形状）に形成している。また、凸レンズ４の高さｈは、約０．０４６ｍｍの高さｈに形成し、幅ｗ１は、約０．８ｍｍの幅ｗ１（又は直径）に形成し、隣り合う各凸レンズ４…の間隔ｗ２を、約０．３ｍｍの間隔ｗ２に設定して等間隔に隔てて配列している。
【００３１】
前記パール層５は、装飾体２表面から入った光を反射するか、光の反射角度によって様々な色に変化させるような微細なパール粒子が含まれる緑色のインキを用いて、アンカーコート層３上に形成した全凸レンズ４の外面と、各凸レンズ４…の間に露出するアンカーコート層３の外面とが略均一に覆われるように形成している。また、パール層５の厚みｈ４は、約０．００５ｍｍの厚みｈ４に形成しているが、所望するパール調の光沢・模様が現出されるならば、約０．００５ｍｍ以下又は以上の厚みｈ４に変更してもよい。なお、実施例では、緑色のインキでパール層５を形成しているが、例えば用途、好み、要望等に応じて、所望する色のインキで形成することもできる。
【００３２】
前記白押え層６は、パール層５が表裏から透けて見えるのを防止するような不透光性と、装飾体２表面から入った光を反射するような鏡面性とを有するような白色のインキを用いて、全凸レンズ４上及びアンカーコート層３上に形成したパール層５の全体（又は一部）が略均一に覆われるように形成している。つまり、装飾体２の表面側から入った光を裏面側に透過させず、裏面側からの光を遮光するので、パール層５が表裏から透けて見えるのを防止する白押え効果が得られる。且つ、装飾体２と、アンカーコート層３と、凸レンズ４と、パール層５とを透過した略全ての光を、装飾体２の表面側に向けて反射する反射効果も得られる。
【００３３】
一方、白押え層６を形成しない場合、白色のインキによる白押え効果が得られず、装飾体２の表面側から入った光が裏面側に通り抜けるため、パール調の光沢・模様が明確に現出されない。また、白押え層６の厚みｈ５は、約０．００５ｍｍの厚みｈ５に形成しているが、パール層５が表裏から透けて見えるのを防止する白押え効果及び装飾体２表面から入った光を反射する反射効果が得られるならば、約０．００５ｍｍ以下又は以上の厚みｈ４に変更してもよい。
【００３４】
なお、装飾体２、アンカーコート層３、凸レンズ４は、無色で透明又は半透明に形成しているため、緑色に着色したパール層５を形成すると、緑色を有するパール調の光沢・模様が現出されるが、装飾体２と、アンカーコート層３と、凸レンズ４と、白押え層６とのいずれか一つ又は複数を、例えば赤色、青色、黄色、紫色、オレンジ色、その他の色等の単一又は複数を組み合わせた色に着色すれば、パール調の光沢・模様を、所望する色又は好みの色に現出することができる。
【００３５】
図示実施例は上記の如く構成するものにして、以下、上記パール模様装飾体１を、自動販売機ＡのドアパネルＡａ及び取出口パネルＡｂに用いた例を説明する。
【００３６】
先ず、図３、図４に示すように、パール模様装飾体１を構成する装飾体２の表面側から入った光は、アンカーコート層３を介して、各凸レンズ４…により入射角度と異なる角度に屈折され、各凸レンズ４…上に形成したパール層５に照射される。また、各凸レンズ４…の間を透過した一部の光は屈折されることなくパール層５に照射される。
【００３７】
且つ、各凸レンズ４…により屈折された光と、各凸レンズ４…の間を透過した光は、パール層５に含まれるパール粒子により反射され、様々な色に変化するので、パール調の光沢・模様が現出される。
【００３８】
且つ、様々な色に変化した一部の光はパール層５を透過するも、パール層５上に形成した白押え層６により裏面側への透過が阻止され、裏面側からの光が白押え層６の不透光性により遮光されるので、パール層５が表裏から透けて見えるのを防止する白押え効果が得られ、パール調の光沢・模様が明確且つ明瞭に現出される。
【００３９】
且つ、パール層５を透過した略全ての光を白押え層６の鏡面性により表面側に向けて反射させ、パール調の光沢・模様を明るく輝かせるとともに、パール層５により様々な色に変化された光と、白押え層６により表面側に向けて反射された光を、各凸レンズ４…により入射方向と異なる方向又は同一方向に屈折させ、アンカーコート層３を介して、装飾体２の表面側に向けて放射するので、図１、図２に示すように、パール模様装飾体１により構成された自動販売機ＡのドアパネルＡａ及び取出口パネルＡｂを正面側から見たとき、ドアパネルＡａ及び取出口パネルＡｂの表面側に現出されるパール調の光沢・模様が様々な色に変化する。
【００４０】
且つ、ドアパネルＡａ及び取出口パネルＡｂの見る方向・角度によって、各凸レンズ４…による光の屈折角度、白押え層６による光の反射角度が異なるため、パール調の光沢・模様が様々な色に変化するだけでなく、輝き方も様々に変化するので、パール調の光沢・模様が立体的に現出される。また、各凸レンズ４…の屈折力及び拡大力によりパール層５が現出するパール調の光沢・模様が揺らいで見えることもある。
【００４１】
図５は、各凸レンズ４…の間隔ｗ２を、装飾体２裏面に設定した密領域（図中右側）から粗領域（図中左側）に向けて、各凸レンズ４…の間隔ｗ２が段階的又は徐々に広くなるようなパターンに配列した他の例を示し、各凸レンズ４…の間隔が密領域から粗領域に向けて段階的又は徐々に変化するので、パール調の光沢・模様が密領域から粗領域に向けて段階的又は徐々に粗状態となるようなグラデーションを現出することができるとともに、上記実施例と略同等の作用及び効果を奏することができる。
【００４２】
図６は、各凸レンズ４…の高さｈを、装飾体２裏面に設定した密領域（図中右側）から粗領域（図中左側）に向けて、各凸レンズ４…の高さｈが段階的又は徐々に低くなるように配列したその他の例を示し、各凸レンズ４…の屈折率が密領域から粗領域に向けて段階的又は徐々に変化するので、パール調の光沢・模様が密領域から粗領域に向けて段階的又は徐々に粗状態となるようなグラデーションを現出することができるとともに、上記実施例と略同等の作用及び効果を奏することができる。
【００４３】
また、パール調の光沢・模様が密領域から粗領域に向けて段階的又は徐々に粗状態となるようなグラデーションを現出する装飾効果が得られる。また、立体模様のグラデーションを見るだけでも、揺らぎや変化等を視覚的に楽しむこともでき、例えば宣伝や案内、商品の販売等の様々な用途及び目的に利用すれば、人の注目を集めやすく、高い宣伝効果が得られる。
【００４４】
この発明の構成と、上述の実施例との対応において、  
この発明の不透光層は、実施例の白押え層６に対応するも、
本発明は、上述の実施例の構成のみに限定されるものではなく、請求項に示される技術思想に基づいて応用することができ、多くの実施の形態を得ることができる。
【図面の簡単な説明】
【００４５】
【図１】パール模様装飾体の使用状態を示す自動販売機の正面図。
【図２】パール模様装飾体により構成された各パネルを示す正面図。
【図３】パール模様装飾体の積層構造を示す略断面図。
【図４】パール模様装飾体による光の屈折状態及び反射状態を示す略断面図。
【図５】凸レンズの間隔を変化させた例を示す拡大断面図。
【図６】凸レンズの高さを変化させた他の例を示す拡大断面図。
【符号の説明】
【００４６】
Ａ…自動販売機
Ａａ…ドアパネル
Ａｂ…取出口パネル
１…パール模様装飾体
２…装飾体
３…アンカーコート層
４…凸レンズ
５…パール層
６…白押え層
【図１】
2006289849.tif 000003
【図２】
2006289849.tif 000004
【図３】
2006289849.tif 000005
【図４】
2006289849.tif 000006
【図５】
2006289849.tif 000007
【図６】
2006289849.tif 000008